(57)【要約】【課題】装置内にある現金の量を自動精査する自動取引装置１において、いつでも自動精査を行うことができるようにする。【解決手段】入出金する現金を格納する入出金金庫３ａと、当該入出金金庫３ａの現金を回収する装填庫３ｂを設け、適時に精査を行う自動取引装置において、前記入出金金庫３ａの現金の量が前記装填庫３ｂの容量以上となったときは、入金取引を制限して前記入出金金庫３ａの現金の量を前記装填庫３ｂの容量以下に保つようにし、いつでも自動精査を行うことができるようにした。【選択図】図１
2010015272.tif 000002
【特許請求の範囲】
【請求項１】
入出金する現金を格納する現金格納手段と、当該現金格納手段の現金を回収する回収手段を有し、適時に現金量の精査を行う自動取引装置であって、
前記現金格納手段の現金の量を前記回収手段の容量以下に保つようにしたことを特徴とする自動取引装置。
【請求項２】
前記現金格納手段の現金の量が前記回収手段の容量以上となったときは、入金取引を制限して前記現金格納手段の現金の量を前記回収手段の容量以下に保つようにしたことを特徴とする請求項１記載の自動取引装置。
【請求項３】
前記現金格納手段内の現金の回収を促す回収案内手段と、
当日の営業開始からの取引が入金過多かどうかを判定する入金過多判定手段と、
前記現金格納手段の現金の量と前記回収手段の容量の比較結果と前記入金過多判断手段の結果に基づき、取引を継続すると精査できなくなることを予測する入金量予測手段を設け、
前記入金量予測手段により、精査できなくなることを予測したときは、前記回収案内手段により回収作業を促す表示を行うようにしたことを特徴とする請求項１記載の自動取引装置。
【請求項４】
前記入金量予測手段は、現金回収時において前記回収手段の容量に所定量のマージンがない場合であって、前記入金過多判断手段の結果が入金過多であるときに、取引を継続すると精査できなくなると判定するようにしたことを特徴とする請求項３記載の自動取引装置。
【請求項５】
営業開始前に装填すべき現金の量を案内する装填案内手段と、
営業開始時点からの入出金量を蓄積する入出金量蓄積手段と、
当該入出金量蓄積手段により蓄積した入出金量に基づき当日の装填すべき現金の量を予測する装填量予測手段を設け、
当該装填量予測手段により予測した装填すべき現金の量を、前記装填案内手段により表示するようにしたことを特徴とする請求項１記載の自動取引装置。
【請求項６】
前記装填量予測手段は、前記入出金取引情報から一定周期ごとの装填すべきであった量から平均値を算出して当日の装填すべき現金の量を予測するようにし、営業開始のときに前記装填案内手段により表示するようにしたことを特徴とする請求項５記載の自動取引装置。
【請求項７】
前記一定周期は、年若しくは月または週であることを特徴とする請求項６記載の自動取引装置。
【請求項８】
前記現金は、紙幣または硬貨であることを特徴とする請求項１ないし請求項７いずれか記載の自動取引装置。
【発明の詳細な説明】
【技術分野】
【０００１】
本発明は、装置内にある媒体の量を精査（以下、「自動精査」という）する必要のある現金自動支払機、現金自動預払機等の自動取引装置に関するものである。
【背景技術】
【０００２】
一般に、媒体として現金を取扱う自動取引装置では、装置内の現金を数えなおす自動精査の機能が備わっており、その機能を起動させるタイミングは銀行によって異なる。例えば、ホストコンピュータから遠隔で起動されたり、銀行の行員による係員操作画面において所定の操作をして起動されたりすることで、運用されている。
【０００３】
この自動精査は、入金された現金や出金する現金を格納する入出金金庫として機能する入出金金庫から装填カセットなどの装填庫へ一度現金を全て搬送し、再び装填庫から現金を鑑別し数えながら入出金金庫へ現金を格納することにより自動精査を実施している（例えば、特許文献１参照）。
【特許文献１】特開平８−３０５９３１号公報
【発明の開示】
【発明が解決しようとする課題】
【０００４】
しかしながら、従来の自動取引装置では、自動精査を行う際に、入出金金庫内にある現金の量が、装填庫の容量よりも大きい場合、装填庫に入出金金庫内のすべての現金を移すことができないため自動精査を起動することができないという問題があった。
【０００５】
つまり、自動精査を起動するには、入出金金庫内現金が装填庫容量以下という条件が成り立つ必要がある。この条件が成り立たない状態は、例えば、顧客が、現金により予想を上回る入金を行い、現金の回収処理が間に合わない場合に発生する。
【課題を解決するための手段】
【０００６】
本発明は、前述の課題を解決するため次の構成を採用する。すなわち、入出金する現金を格納する現金格納手段と、当該現金格納手段の現金を回収する回収手段を有し、適時に現金量の精査を行う自動取引装置において、前記現金格納手段の現金の量を前記回収手段の容量以下に保つようにした。
【発明の効果】
【０００７】
本発明の自動取引装置によれば、入出金する現金を格納する現金格納手段と、当該現金格納手段の現金を回収する回収手段を有し、適時に現金量の精査を行う自動取引装置において、前記現金格納手段の現金の量を前記回収手段の容量以下に保つようにしたので、いつでも自動精査を行うことができる。
【発明を実施するための最良の形態】
【０００８】
以下、本発明に係わる実施の形態例を、図面を用いて説明する。図面に共通する要素には同一の符号を付す。なお、以下の説明では、簡略化のために紙幣について説明するが、紙幣に限らず紙葉類の媒体や、硬貨などの媒体についても適用できる。
【実施例１】
【０００９】
（外観構成）
実施例１の自動取引装置１は、図１のような外観をしており、硬貨入出金口２ｘ、紙幣入出金口３ｘ、通帳入出口４ｘ、カード入出口５ｘ、操作部６を備えている。
【００１０】
紙幣入出金口３ｘは、紙幣が投入されるとともに、これらが排出される開口部である。紙幣入出金口３ｘには、シャッタが設けられシャッタが駆動されることにより紙幣入出金口３ｘが開閉される。
【００１１】
カード入出口５ｘは、取引で使用されるカードがここから挿入され、取引が終了するとここから排出される。通帳入出口４ｘは、取引で使用される通帳がここから挿入され、取引が終了するとここから排出される。また、硬貨入出金口２ｘは、硬貨が投入または排出される開口部である。
【００１２】
紙幣入出金口３ｘは、入金紙幣が投入されるとともに、出金紙幣が排出される部分で、その奥部には、図示していないが後述の紙幣の入出金処理を行う紙幣ユニット３が設けられている。カード入出口５ｘは、カードが挿入または排出される部分で、その奥部には、図示していないが後述のカードユニット５が設けられている。
【００１３】
硬貨入出金口２ｘは、入金硬貨が投入されるとともに、出金硬貨が排出される部分で、その奥部には、図示しないが、硬貨の入出金処理を行う後述の硬貨ユニット２が設けられている。通帳挿入出口４ｘは、通帳が挿入または排出される部分で、その奥部には、図示していないが後述の通帳記帳ユニット４が設けられている。
【００１４】
操作部６は、後述の透明タッチパネルからなるタッチキー入力部６ａとＬＣＤ画面表示部６ｂとから構成され、顧客の操作により各種の入力を行なうとともに、操作ガイダンス等が表示される。
【００１５】
（内部構成）
次ぎに、実施例１の自動取引装置の内部は、図２に示したように、後述する各部の制御を行う主制御部１０と、前述のタッチキー入力部６ａとＬＣＤ画面表示部６ｂとから構成される操作部６、キャッシュカード等に記録された情報のリードライトを行うカードユニット５、通帳の磁気ストライプのリードライトおよび通帳への印字制御を行う通帳記帳ユニット４、紙幣入出金金庫３ａおよび紙幣装填庫３ｂを備え紙幣の入出金制御を行う紙幣ユニット３と、硬貨入出金金庫２ａおよび硬貨装填庫２ｂを備え硬貨の入出金制御を行う硬貨ユニット２と、自動取引装置１の保守員である行員への操作ガイダンスを表示制御する行員画面表示部８とからなる。
【００１６】
さらに、各部に電源を供給する電源部１１、図示しないホストコンピュータとのインタフェイスを制御するインタフェイス部９を有する。
【００１７】
なお、紙幣入出金金庫３ａ内の現金量は、紙幣ユニット３から定期的に主制御部１０に通知され、主制御部１０は、あらかじめ紙幣ユニット３の紙幣装填庫３ｂの容量を把握しており、紙幣入出金金庫３ａ内の現金量の増減により、紙幣ユニット３に入金制限を設けられるようになっている。
【００１８】
（機能構成）
次ぎに、実施例１の入金取引制限にかかる機能構成を、図３を用いて以下説明する。同図に示したように、実施例１の入金取引制限にかかる機能構成は、入出金金庫内現金量取得手段３０と、装填庫容量記憶手段３１と、これらの量、例えば枚数を比較する量比較手段３２と、量比較手段３２による比較結果に基づき、入金取引を制限する入金取引制限手段３３とからなる。なお、入出金金庫内現金量取得手段３０は、紙幣ユニット３内の紙幣入出金金庫３ａへ紙幣を格納する際に、現金枚数をカウントし格納した現金の量を把握する機能を有するものであり、装填庫容量記憶手段３１は、紙幣装填庫３ｂ内に回収できる枚数を記憶しておく機能を有するものである。
【００１９】
（動作）
以上の構成により、実施例１の自動取引装置は以下のように動作する。この動作を図４の実施例１の自動取引装置の動作フローチャートを用いて以下説明する。
【００２０】
まず、取引を開始する前に、主制御部１０は、入出金金庫内現金量取得手段３０により紙幣入出金金庫３ａ内の現金量Ｍａを確認する（ステップＳ０１）。
【００２１】
次に、紙幣入出金金庫３ａ内の現金量Ｍａと装填庫容量記憶手段３１により確認する紙幣装填庫３ｂの容量Ｍｓを量比較手段３２により比較を行う（ステップＳ０２）。
【００２２】
なお、前記現金量Ｍａとしては、紙幣の全金種の枚数の合計であるが、金種ごとに厚さや大きさが異なり紙幣装填庫３ｂを別に設ける場合では、金種ごとの枚数を現金量とし、それぞれの紙幣装填庫３ｂの容量との比較を行うようにすればよい。
【００２３】
そして、比較結果が自動精査可能な条件を満たしていれば、すなわち入出金金庫内現金Ｍａが装填庫容量Ｍｓより少ない場合は、入出金金庫内現金を紙幣装填庫３ｂに移すことができるので、通常の取引を開始する（ステップＳ０３）。
【００２４】
一方、比較結果が自動精査可能な条件を満たしていなければ、すなわち紙幣入出金金庫３ａ内現金Ｍａが紙幣装填庫３ｂの容量以上であった場合は、入出金金庫内現金を紙幣装填庫３ｂに移すことができないので、入金取引制限手段３３により現金による入金取引を制限して取引を開始する（ステップＳ０４）。
【００２５】
（実施例１の効果）
以上詳細に述べたように実施例１の自動取引装置によれば、入出金する現金を格納する現金格納手段と、当該現金格納手段の現金を回収する回収手段を設け、適時に精査を行う自動取引装置において、前記現金格納手段の現金の量が前記回収手段の容量以上となったときは、入金取引を制限して前記現金格納手段の現金の量を前記回収手段の容量以下に保つようにしたので、いつでも自動精査を行うことができる。
【実施例２】
【００２６】
（構成）
実施例２の自動取引装置の概観構成、内部構成は、実施例１の構成と同様であるので、簡略化のためにその詳細な説明は省略する。
【００２７】
（機能構成）
実施例２の自動取引装置の入金取引制限にかかる機能構成は、図５に示したように、実施例１の構成に加え、行員等への入出金金庫内現金の回収を促す回収案内手段３６と、当日の営業開始からの取引が入金過多かどうかを判定する入金過多判定手段３５と、前記量比較手段の比較結果と前記入金過多判断手段の結果に基づき、このまま取引を維持すると精査可能な条件を満たさなくなることを予測する入金量予測手段３４を設け、入金量予測手段３４により、紙幣装填庫３ｂの容量に所定量のマージンがなく入金過多であると判断したときは、回収案内手段３６により回収作業を促す表示をすることができるようになっている。
【００２８】
その他の構成は、実施例１の入金取引制限にかかる機能構成と同様であるので、簡略化のためにその詳細な説明は省略する。
【００２９】
（動作）
以上の構成により、実施例２の自動取引装置は以下のように動作する。この動作を図６の実施例２の自動取引装置の動作フローチャートを用いて以下説明する。
【００３０】
まず、取引を開始する前に、主制御部１０は、入出金金庫内現金量取得手段３０により紙幣入出金金庫３ａ内の現金量、すなわち枚数Ｍａを確認し、紙幣入出金金庫３ａ内の現金量Ｍａと、装填庫容量記憶手段３１により確認する紙幣装填庫３ｂの容量の量比較手段３２により比較を行い、比較結果が自動精査可能な条件を満たしていれば、すなわち紙幣入出金金庫内３ａの現金が紙幣装填庫３ｂの容量より少ない場合は、紙幣入出金金庫内現金を紙幣装填庫３ｂに移すことができるので、通常の取引を開始する（ステップＳ０１〜Ｓ０３）。
【００３１】
一方、比較結果が自動精査可能な条件を満たしていなければ、すなわち紙幣入出金金庫３ａ内の現金が紙幣装填庫３ｂの容量以上であった場合は、紙幣入出金金庫内３ａの現金を紙幣装填庫３ｂに移すことができないので、入金取引制限手段３３により現金による入金取引を制限して、次のステップＳ２１に進む（ステップＳ０４）。
【００３２】
そして、紙幣入出金金庫３ａ内現金Ｍａと紙幣装填庫３ｂの容量Ｍｓの差を確認し、差Ｍｓ−Ｍａがあらかじめ定めておいたマージンΔＭα未満のときは（ステップＳ２１）、営業開始からの取引傾向が入金過多にあるか否かを入金過多判断手段３５により判断し（ステップＳ２２）、入金過多と判断した場合は、このまま取引を継続すれば、紙幣入出金金庫３ａ内現金が紙幣装填庫３ｂの容量以上となることを入金量予測手段３４にて予測し、回収案内手段３６により、行員操作画面に図９に示したような回収を促す表示を行う（ステップＳ２３）。なお、前記マージンΔＭαは、１回の取引にて入金可能な最大枚数を目安として設定すればよい。
【００３３】
一方、ステップＳ２１にて、差Ｍｓ−Ｍａがあらかじめ定めておいたマージンΔＭα以上の場合またはステップＳ２２にて入金過多でないときは、紙幣入出金金庫３ａ内現金が紙幣装填庫３ｂの容量以上となることはないので、そのまま取引を開始する。
【００３４】
そして、ステップＳ２３による回収を促す表示を見た行員等は、現金を紙幣入出金庫３ａから回収する回収作業を実施し、回収作業が終了したときにステップＳ０４にて制限した入金取引制限を解除する。
【００３５】
前記入金量予測の方法としては、例えば、図７に示した入出金金庫３ａ内現金Ｍａの営業開始後の推移の場合、営業開始より徐々に入出金金庫内現金Ｍａが増加し、紙幣装填庫３ｂのマージンΔＭαを超えたａ点において、これまので取引が入金過多かどうかを判定し、入金過多であったときに、現金の回収を促す画面を表示するようにする。
【００３６】
また、入金過多かどうかを判定する方法としては、例えば、営業開始時点より１時間ごとに紙幣入出金金庫３ａ内現金Ｍａが増加する回数を計数して時間平均し、所定の回数以上の場合は入力過多と判定し、所定の回数以内の場合は入力過多ではないと判定する。勿論、紙幣入出金金庫３ａ内現金Ｍａの推移を直線近時し、その傾きが所定の傾き以上であれば入金過多と判定するようにしてもよい。
【００３７】
一方、図８に示したような紙幣入出金金庫３ａ内現金Ｍａの営業開始後の推移の場合、営業開始時点より入出金金庫内現金Ｍａは横ばい状態であり、ｂ点において突発的に紙幣装填庫３ｂのマージンΔＭαを超えて、紙幣入出金金庫３ａ内現金Ｍａが増加するが、このとき入金過多かどうかを判定すると、営業開始時点より、例えば１時間ごとに入出金金庫内現金Ｍａが増加する回数はほぼ０回であるので、入力過多ではないと判定し、現金の回収を促す画面は表示しないようにする。
【００３８】
（実施例２の効果）
以上詳細に述べたように実施例２の自動取引装置によれば、行員等への入出金金庫内現金の回収を促す回収案内手段と、当日の営業開始からの取引が入金過多かどうかを判定する入金過多判定手段と、入出金金庫内現金の量と装填庫の容量の比較結果と前記入金過多判断手段の結果に基づき、取引を維持すると精査できなくなることを予測する入金量予測手段を設け、入金量予測手段により、精査できなくなることを予測したときは、回収案内手段により回収作業を促す表示をするようにしたので、適時に入出金金庫内現金を回収することができ、入出金金庫内の現金量を装填庫の容量以下に保つことができ、いつでも自動精査を行うことができる。
【００３９】
また、実施例２の自動取引装置によれば、入金取引を制限した後においても、行員等による回収を促す表示を行い回収が行われるようにしているので、出金取引によって入出金金庫内現金が減る場合に入金取引制限が解除されるだけでなく、現金の回収によっても入金取引制限が解除されるので、入金取引制限となることを積極的に防ぐことができるという効果もある。
【実施例３】
【００４０】
（構成）
実施例３の自動取引装置の概観構成、内部構成は、実施例１の構成と同様であるので、簡略化のためにその詳細な説明は省略する。
【００４１】
（機能構成）
実施例３の自動取引装置の入金取引制限にかかる機能構成は、図１０に示したように、実施例２の構成に加え、行員等への現金の装填を促す装填案内手段４６と、所定の期間につき、各営業開始時点から自動取引装置の出金取引の情報を蓄積する入出金情報蓄積手段４５と、当該入出金情報蓄積手段４５により蓄積した入出金取引情報から一定周期ごとの装填すべき現金の量の平均値を算出して当日の装填すべき現金の量を予測する装填量予測手段４４を設け、当該装填量予測手段４４により予測した装填すべき現金の量を、前記装填案内手段４６により表示できるようにしている。
【００４２】
その他の構成は、実施例２の入金取引制限にかかる機能構成と同様であるので、簡略化のためにその詳細な説明は省略する。
【００４３】
（動作）
以上の構成により、実施例３の自動取引装置は以下のように動作する。この動作を図１１および図１２の実施例３の自動取引装置の動作フローチャートを用いて以下説明する。なお、入金取引を制限する処理、現金の回収を促す処理は、実施例２において図６の動作フローチャートを用いて説明した処理とほぼ同様である。
【００４４】
まず、取引を開始する前に、主制御部１０は、入出金金庫内現金量取得手段３０により紙幣入出金金庫３ａ内の現金量、すなわち枚数Ｍａを確認し、紙幣入出金金庫３ａ内の現金量Ｍａと、装填庫容量記憶手段３１により確認する紙幣装填庫３ｂの容量の量比較手段３２により比較を行う。
【００４５】
そして、比較結果が自動精査可能な条件を満たしていれば、すなわち入出金金庫内現金が紙幣装填庫３ｂの容量より少ない場合は、紙幣入出金金庫３ａ内現金を紙幣装填庫３ｂに移すことができるので、通常の取引を開始する。
【００４６】
一方、比較結果が自動精査可能な条件を満たしていなければ、すなわち紙幣入出金金庫３ａ内現金が紙幣装填庫３ｂの容量以上であった場合は、紙幣入出金金庫３ａ内現金を紙幣装填庫３ｂに移すことができないので、入金取引制限手段３３により現金による入金取引を制限して、紙幣入出金金庫３ａ内現金Ｍａと紙幣装填庫３ｂの容量Ｍｓの差を確認し、差Ｍａ−Ｍｓがあらかじめ定めておいた閾値ΔＭα未満であったときは、営業開始からの取引傾向が入金過多にあるか否かを入金過多判断手段３５により判定し、入金過多と判断した場合は、このまま取引を継続すれば、紙幣入出金金庫３ａ内現金が紙幣装填庫３ｂの容量以上となるので、回収案内手段３６により行員画面に回収を促す表示を行う。
【００４７】
以上の取引を繰り返し、当日の営業を終了するときに、図１１の動作フローチャートに示したように、入出金情報蓄積手段４５にて、入金された枚数、出金された枚数、紙幣入出金金庫３ａ内の現金が最も少なかった時の枚数、紙幣入出金金庫３ａ内の現金が最も多かった時の枚数に基づいて、営業開始時に装填すべきであった枚数、すなわち初期装填量Ｍｘを記録しておく（ステップＳ３１）。
【００４８】
ここで、初期装填量Ｍｘは、詳細後述のように、入金により紙幣入出金金庫３ａ内の現金が最も多くなった時の枚数とマージンΔＭαを考慮し紙幣装填庫３ｂの容量Ｍｓ以内とする必要があるとともに、出金により紙幣入出金金庫３ａ内の現金がなくならないようにマージンΔＭβを考慮した枚数となる。
【００４９】
一般的に、自動取引装置での取引は、月の初めは入金傾向にあり、月末は出金傾向にあり、１ヶ月サイクルで入金過多、出金過多を繰り返す傾向があるので、日付情報と共に、装填すべきであった枚数Ｍｘを記録しておく（ステップＳ３２）。
【００５０】
そして、次の営業開始時に、図１２の動作フローチャートに示したように、装填量予測手段４４にて、前述の記録した装填すべきだった枚数Ｍｘから、当日の日付と同じデータの平均枚数を算出し（ステップＳ３３）、図１３に示したように、装填案内手段４８にて、装填を促す表示とともに本日の装填すべき枚数を表示する（ステップＳ３４）。
【００５１】
例えば、当日が１１月４日であれば、過去の１０月４日、９月４日、８月４日における装填すべきであった枚数Ｍｘを平均し、装填すべき枚数として表示する。或いは、月ごとの日付による平均ではなく、第１週からの曜日ごとの傾向から、当日が第１週の月曜日であれば、前月および前々月の第１週の装填すべきであった現金の枚数Ｍｘの平均値から、本日の装填すべき現金の枚数を表示するようにしてもよいし、逆に、年毎の当日の装填すべきであった現金の枚数Ｍｘの平均から当日の装填すべき現金の枚数を表示するようにしてもよい。或いは、これらの情報のすべてまたは一部を用いて当日の装填すべき現金の枚数を推定して表示するようにしてもよい。
【００５２】
そして、行員等がこの装填案内を参照し、最適な装填枚数を装填するので、装填しすぎることを防止でき、入力取引を制限する頻度を最小限にすることができる。
【００５３】
さらに具体的に説明すると、例えば、図１４に示したように入金過多の日の場合では、図中実線の紙幣入出金金庫３ａ内の現金Ｍａが図中ｃ１点の営業終了間際に最も多くなり、紙幣装填庫３ｂの容量までのマージンΔＭαを考慮すると紙幣入出金庫内の現金Ｍａの許容される最大量の推移は破線のようになり、このときの初期装填量が、Ｍ０ｍａｘとなる。一方、入力過多の日であるので、出金により紙幣入出金金庫３ａ内の現金Ｍａが０となることは少ないが、マージンΔＭβを考慮すると紙幣入出金庫内の現金Ｍａの許容される最小量の推移は実線のようになり、このときの初期装填量が、Ｍ０ｍｉｎとなる。
【００５４】
この場合、営業開始時から営業終了時までの紙幣入出金庫内の現金Ｍａの差は、入金された枚数Ｎｉｎとなるので、初期装填量の最大値Ｍ０ｍａｘは、装填庫容量Ｍｓ−（Ｎｉｎ＋ΔＭα）となり、初期装填量の最小値Ｍ０ｍｉｎは、ΔＭβとなる。
【００５５】
以上のように、初期装填量をＭ０ｍｉｎからＭ０ｍａｘの範囲とすれば、紙幣入出金金庫３ａ内の現金Ｍａは実線ないし破線のように推移することになり、出金用現金が不足することもなく、かつ回収可能な装填庫容量Ｍｓを超えることもなく入力取引を制限する頻度を最小限にすることができる。なお、初期装填量Ｍｘとしては、Ｍ０ｍｉｎからＭ０ｍａｘの中間程度とするのがよい。
【００５６】
また、図１５に示したように入金過多でもなく出金過多でもない日の場合では、図中実線の紙幣入出金金庫３ａ内の現金Ｍａが図中ｄ１点の最も多くなり、ｄ２点において最も少なくなり、紙幣装填庫３ｂの容量までのマージンΔＭαを考慮すると紙幣入出金庫内の現金Ｍａの許容される最大量の推移は破線のようになり、このときの初期装填量が、Ｍ０ｍａｘとなる。一方、出金により紙幣入出金金庫３ａ内の現金Ｍａが０とならないように、マージンΔＭβを考慮すると紙幣入出金庫内の現金Ｍａの許容される最小量の推移は実線のようになり、このときの初期装填量が、Ｍ０ｍｉｎとなる。
【００５７】
この場合、営業開始時から営業終了時までの紙幣入出金庫内の現金Ｍａの差は、ほぼ０であるが、ｄ１点での最大量との差をΔＭａとすると、初期装填量の最大値Ｍ０ｍａｘは、装填庫容量Ｍｓ−（ΔＭａ＋ΔＭα）となり、初期装填量の最小値Ｍ０ｍｉｎは、営業開始時の現金Ｍａと最小となるｄ２点での現金Ｍａの差をΔＭｂとすると、ΔＭβ＋ΔＭｂとなる。なお、前記ΔＭａおよびΔＭｂが小さい場合は、初期装填量の最大値Ｍ０ｍａｘをＭｓ−ΔＭα、最小値Ｍ０ｍｉｎをΔＭβとしてもよい。
【００５８】
以上のように、初期装填量をＭ０ｍｉｎからＭ０ｍａｘとすれば、紙幣入出金金庫３ａ内の現金Ｍａは実線ないし破線のように推移することになり、出金用現金が不足することもなく、かつ回収可能な装填庫容量Ｍｓを超えることもなく入力取引を制限する頻度を最小限にすることができる。なお、初期装填量Ｍｘとしては、Ｍ０ｍｉｎからＭ０ｍａｘの中間程度とするのがよい。
【００５９】
また、図１６に示したように出金過多の日の場合では、図中実線の紙幣入出金金庫３ａ内の現金Ｍａが図中ｅ１点にて最も多く、ｅ２点において最も少なくなり、紙幣装填庫３ｂの容量までのマージンΔＭαを考慮すると紙幣入出金庫内の現金Ｍａの許容される最大量の推移は破線のようになり、このときの営業開示の装填量である初期装填量が、Ｍ０ｍａｘとなる。一方、出金により紙幣入出金金庫３ａ内の現金Ｍａが０とならないように、マージンΔＭβを考慮すると紙幣入出金庫内の現金Ｍａの許容される最小量の推移は実線のようになり、このときの初期装填量が、Ｍ０ｍｉｎとなる。
【００６０】
この場合、初期装填量の最大値Ｍ０ｍａｘは、装填庫容量Ｍｓ−ΔＭαとなり、営業開始時から営業終了時までの紙幣入出金庫内の現金Ｍａの差は出金された枚数はＮｏｕｔとなるので、初期装填量の最小値Ｍ０ｍｉｎは、Ｎｏｕｔ＋ΔＭβとなる。
【００６１】
以上のように、初期装填量をＭ０ｍｉｎからＭ０ｍａｘとすれば、紙幣入出金金庫３ａ内の現金Ｍａは実線ないし破線のように推移することになり、出金用現金が不足することもなく、かつ回収可能な装填庫容量Ｍｓを超えることもなく入力取引を制限する頻度を最小限にすることができる。なお、初期装填量Ｍｘとしては、Ｍ０ｍｉｎからＭ０ｍａｘの中間程度とするのがよい。
【００６２】
以上の説明では、営業開始の際に、装填すべき現金の量Ｍｘを装填案内手段４６にて案内するように説明したが、営業開示の際に限らず、営業の途中において案内するようにしてもよい。
【００６３】
（実施例３の効果）
以上詳細に述べたように実施例３の自動取引装置によれば、行員等への現金の装填を促す装填案内手段と、所定の期間につき、各営業開始時点から自動取引装置の入出金取引の情報を蓄積する入出金情報蓄積手段と、当該入出金情報蓄積手段により蓄積した入出金取引情報から一定周期ごとの装填すべき現金の量の平均値を算出して当日の装填すべき現金の量を予測する装填量予測手段を設け、当該装填量予測手段により予測した装填すべき現金の量を、前記装填案内手段により表示できるようにしたので、装填しすぎることがなく、入金取引を制限する頻度も最小限とすることができる。
【００６４】
《その他の変形例》
以上の説明では、紙幣装填庫３ｂを用いて紙幣入出金金庫３ａ内の現金を回収して精査する例を説明したが、例えば、紙幣入出金金庫３ａの１つまたは複数の金庫を利用して回収し精査を行う自動取引装置にも本発明を容易に適用することができるし、その他の金庫を利用して回収および精査を行う自動取引装置にも適用することができる。
【００６５】
また、以上の説明では、簡略化のために、紙幣全体の枚数について説明したが、紙幣のそれぞれの金種毎に本発明を適用してもよいし、硬貨について、硬貨入出金金庫内２ａの硬貨の枚数を硬貨装填庫２ｂの容量と比較し、硬貨入出金金庫２ａ内の硬貨の枚数が硬貨装填庫２ｂの容量より少ない場合は、通常取引を開始し、硬貨入出金金庫２ａ内の硬貨の枚数が硬貨装填庫２ｂの容量以上の場合は、硬貨の入金取引を制限して取引を開始するようにしてもよい。
【００６６】
また、硬貨について、営業開始から現在までの入金過多の傾向がこのまま続けば、硬貨入出金金庫２ａ内現金が硬貨装填庫２ｂの容量より多くなると予測し、行員操作画面に硬貨入出金金庫２ａ内の硬貨を取り除く回収作業を促す表示を行うようにしてもよい。
【００６７】
また、硬貨について、入出金情報蓄積手段により蓄積した入出金取引情報から一定周期ごとの装填すべき枚数の平均値を算出して当日の装填すべき硬貨の枚数を予測する装填量予測手段を設け、当該装填量予測手段により予測した装填すべき硬貨の枚数を、装填案内手段により表示するようにしてもよい。
【００６８】
また、以上の実施例の説明では、回収案内、装填枚数の案内を行員操作画面に表示するように説明したが、画面に表示するのはなく、音声等により案内してもよいし、音声および画面にて案内するようにするようにしてもよい。
【産業上の利用可能性】
【００６９】
以上述べたように、本発明は、装置内にある媒体数を自動精査する必要のある現金自動支払機、現金自動預払機等の自動取引装置に広く用いることができる。
【図面の簡単な説明】
【００７０】
【図１】実施例１の自動取引装置の概観図である。
【図２】実施例１の自動取引装置の内部構成図である。
【図３】実施例１の自動取引装置の入金取引制限にかかる機能構成図である。
【図４】実施例１の自動取引装置の動作フローチャート図である。
【図５】実施例２の自動取引装置の入金取引制限にかかる機能構成図である。
【図６】実施例２の自動取引装置の動作フローチャート図である。
【図７】実施例２の自動取引装置の動作説明図である。
【図８】実施例２の自動取引装置の動作説明図である。
【図９】実施例２の自動取引装置の回収案内画面例である。
【図１０】実施例３の自動取引装置の入金取引制限にかかる機能構成図である。
【図１１】実施例３の自動取引装置の動作フローチャート図である。
【図１２】実施例３の自動取引装置の動作フローチャート図である。
【図１３】実施例３の自動取引装置の装填案内画面例である。
【図１４】実施例３の自動取引装置の動作説明図である。
【図１５】実施例３の自動取引装置の動作説明図である。
【図１６】実施例３の自動取引装置の動作説明図である。
【符号の説明】
【００７１】
１    自動取引装置
２    硬貨ユニット
２ａ  硬貨入出金金庫
２ｂ  硬貨装填庫
３    紙幣ユニット
３ａ  紙幣入出金金庫
３ｂ  紙幣装填庫
８    行員画面表示部
１０  主制御部
３０  入出金金庫内現金量取得手段
３１  装填庫容量記憶手段
３２  量比較手段
３３  入金取引制限手段
３４  入金量予測手段
３５  入金過多判断手段
３６  回収案内手段
４４  装填量予測手段
４５  入出金情報蓄積手段
４６  装填案内手段
【図１】
2010015272.tif 000003
【図２】
2010015272.tif 000004
【図３】
2010015272.tif 000005
【図４】
2010015272.tif 000006
【図５】
2010015272.tif 000007
【図６】
2010015272.tif 000008
【図７】
2010015272.tif 000009
【図８】
2010015272.tif 000010
【図９】
2010015272.tif 000011
【図１０】
2010015272.tif 000012
【図１１】
2010015272.tif 000013
【図１２】
2010015272.tif 000014
【図１３】
2010015272.tif 000015
【図１４】
2010015272.tif 000016
【図１５】
2010015272.tif 000017
【図１６】
2010015272.tif 000018